(57)【要約】      （修正有）【課題】人の首周りに装着したときに、両先端が作業の邪魔になることがなく、両先端の連結に手間が掛からない上に、連結状態が緩みにくい首部冷却袋を提供する。【解決手段】首部冷却袋１は、帯状に形成され、帯状の一方の面が肌に接触される肌接触面として形成されている。首部冷却袋は、保冷体を内蔵可能な袋状に略全体が形成され、かつ、首の周囲にループを形成可能な長さに形成されている袋本体２と、袋本体の帯長方向の両端に、互いに連結可能に構成された結合部３と被結合部４とを備える。被結合部４は、帯幅方向における両側を貫通し、結合部３を挿入可能に形成された穴５を備える。結合部３は、先端部が被結合部の穴に挿入された後、被結合部の肌接触面側に折り返されるとともに、肌接触面側に着脱可能に結合する。【選択図】図２
0003219338.tif 000002
【実用新案登録請求の範囲】
【請求項１】
帯状に形成されており、該帯状の一方の面が肌に接触される肌接触面として形成されている首部冷却袋であって、
保冷体を内蔵可能な袋状に略全体が形成され、かつ、首の周囲にループを形成可能な長さに形成されている袋本体と、該袋本体の帯長方向の両端にそれぞれ設けられ、互いに連結可能に構成された結合部及び被結合部とを備え、
前記被結合部は、その前記帯幅方向における両側を貫通しており、前記結合部を挿入可能に形成された穴を備え、
前記結合部は、その先端部が前記被結合部の穴に挿入された後、該被結合部の前記肌接触面側に折り返されるとともに、該肌接触面側に着脱可能に結合するように構成されている首部冷却袋。
【考案の詳細な説明】
【技術分野】
【０００１】
本考案は、人の首周りを冷却するための首部冷却袋に関するものである。
【背景技術】
【０００２】
第一の背景技術としては、特許文献１に記載されている首部冷却袋を例示する。この首部冷却袋は、袋本体の背面に設けられたポケットに対し冷却された保冷体を入れた状態で首部の後から巻き付け、両端を首部の前側で結んで装着することにより、首部を冷却するための袋である。
【０００３】
また、第二の背景技術としては、特許文献２に記載されている首部冷却袋を例示する。この首部冷却袋は、袋本体の左右方向中央部に設けられたポケットに対し冷却された保冷体を入れた状態で首部に装着することにより、首部を冷却するための袋である。この首部冷却袋を首部に装着するには、袋本体を首部の後側から巻き付け、首部の前側において、袋本体の一端側に設けられたループに他端側を挿入する。
【先行技術文献】
【特許文献】
【０００４】
【特許文献１】意匠登録第1328932号公報
【特許文献２】意匠登録第1437546号公報
【考案の概要】
【考案が解決しようとする課題】
【０００５】
ところが、第一及び第二の背景技術の首部冷却袋は、いずれも両端が首から垂れ下がるため、例えば製造業や建設業に従事する作業者が着用すると前記端が作業の邪魔になることがあり、特に、強風下での使用時に邪魔になるという課題がある。また、第一の背景技術の首部冷却袋は、装着時に両端を結ばなければならないため、手間が掛かるという課題がある。さらに第二の背景技術の首部冷却袋は、袋本体の一端側に設けられたループに他端側を挿入するだけなので、装着が簡単な反面、装着状態が緩みやすいという課題がある。
【課題を解決するための手段】
【０００６】
前記課題を解決するために、第１の考案の首部冷却袋は、
帯状に形成されており、該帯状の一方の面が肌に接触される肌接触面として形成されている首部冷却袋であって、
保冷体を内蔵可能な袋状に略全体が形成され、かつ、首の周囲にループを形成可能な長さに形成されている袋本体と、該袋本体の帯長方向の両端にそれぞれ設けられ、互いに連結可能に構成された結合部及び被結合部とを備え、
前記被結合部は、その前記帯幅方向における両側を貫通しており、前記結合部を挿入可能に形成された穴を備え、
前記結合部は、その先端部が前記被結合部の穴に挿入された後、該被結合部の前記肌接触面側に折り返されるとともに、該肌接触面側に着脱可能に結合するように構成されている。
【０００７】
この構成によれば、人の首周りに装着したときに、前記結合部及び被結合部の両先端が垂れ下がらないので、作業の邪魔になることがない。また、前記結合部及び被結合部の連結に手間が掛からない上に、連結状態が緩みにくい。
【０００８】
第２の考案の首部冷却袋としては、前記第１の考案において、
前記袋本体は、前記肌接触面側に前記保冷体を出し入れする開口が設けられている態様を例示する。
【０００９】
この構成によれば、人の首周りに装着したときに、該開口から前記保冷体が脱落し難いし、該開口の存在を外部から隠すことができる。
【００１０】
第３の考案の首部冷却袋としては、前記第１又は２の考案において、
前記結合部は、その先端部の前記肌接触面側に面ファスナーのフック側が設けられており、
前記被結合部は、その前記肌接触面側が、該面ファスナーのフック側が着脱可能に結合するループ側として機能する生地で形成されている態様を例示する。
【００１１】
この構成によれば、前記被結合部の前記肌接触面側に面ファスナーのループ側を取り付ける必要がないので、取り付けの手間を省くことができるとともに、すっきりとした外形デザインにすることができる。
【００１２】
第４の考案の首部冷却袋としては、前記第３の考案において、
前記袋本体、前記結合部及び前記被結合部は、面ファスナーのフック側が着脱可能に結合するループ側として機能する生地で形成されている態様を例示する。
【００１３】
この構成によっても、前記第３の考案と同様の効果を得ることができる。
【００１４】
第５の考案の首部冷却袋としては、前記第１〜４のいずれかの考案において、
前記袋本体は、前記肌接触面側が複数枚重ねの生地で形成されている態様を例示する。
【００１５】
この構成によれば、保冷体からの冷気を徐々に首周りの肌に伝導させることができ、肌に強い刺激を与えることを防止できるとともに、前記袋本体の保冷力を向上させることができる。
【考案の効果】
【００１６】
本考案に係る首部冷却袋によれば、人の首周りに装着したときに、両先端が作業の邪魔になることがなく、しかも、両先端の連結に手間が掛からない上に、連結状態が緩みにくい、という優れた効果を奏する。
【図面の簡単な説明】
【００１７】
【図１】本考案を具体化した一実施形態に係る首部冷却袋の正面図である。
【図２】同首部冷却袋の背面図である。
【図３】同首部冷却袋の拡大右側面図である。
【図４】同首部冷却袋の拡大左側面図である。
【図５】同首部冷却袋の平面図である。
【図６】同首部冷却袋の図２のＶＩ−ＶＩ線断面図である。
【図７】同首部冷却袋の保冷体を内蔵した状態を示す図６と同様の断面図である。
【図８】ループ状にした状態の同首部冷却袋を上方から見た斜視図である。
【図９】同首部冷却袋を下方から見た斜視図である。
【考案を実施するための形態】
【００１８】
図１〜図９は本考案を具体化した一実施形態の首部冷却袋１を示している。なお、図面において、首部冷却袋１の底面図は平面図と上下対称に表れるため省略している。
【００１９】
本例の首部冷却袋１は、図１〜図５に示すように、帯状に形成されており、該帯状の一方の面（本例では背面図側の面）が肌に接触される肌接触面１ａとして形成されている。そして、該首部冷却袋１は、保冷体８を内蔵可能な袋状に略全体が形成され、かつ、首の周囲にループを形成可能な長さに形成されている袋本体２と、該袋本体の帯長方向の両端に設けられ、互いに連結可能に構成された結合部３及び被結合部４とを備えている。
【００２０】
本例の首部冷却袋１の袋本体２、結合部３及び被結合部４は、面ファスナーのフック側が着脱可能に結合するループ側として機能する生地が用いられており、しかも、該各部が２枚重ねの生地で形成されている（本願の各断面図では、作図上、１枚の生地により簡略化して表示している）。
【００２１】
袋本体２は、前記肌接触面側に保冷体８を出し入れする開口２ａが設けられている（図６及び図７参照）。
【００２２】
被結合部４は、その前記帯幅方向における両側を貫通しており、結合部３を挿入可能に形成された穴５を備えている。本例の被結合部４は、袋本体２の帯幅と略等しい幅に形成された帯片４ａがその帯長方向の中央で折り返され、その両端部が袋本体２の帯長方向の一端部に連結されることにより、穴５が形成されている。
【００２３】
結合部３は、その先端部の肌接触面側に面ファスナーのフック側６が設けられており、その先端部が前記被結合部４の穴５に上方から挿入された後、該被結合部４の前記肌接触面側に折り返されるとともに、該肌接触面側に着脱可能に結合するように構成されている（図８及び図９参照）。
【００２４】
保冷体８としては、特に限定されないが、水、水吸収ゲル化剤、及び氷点降下剤の混合物からなるゲル状の保冷剤８ａを充填した軟質合成樹脂フィルム製の密閉保冷剤袋８ｂを用いることを例示する。
【００２５】
以上のように構成された本例の首部冷却袋１によれば、被結合部４は、その前記帯幅方向における両側を貫通しており、前記結合部３を挿入可能に形成された穴５を備え、結合部３は、その先端部が被結合部４の穴５に挿入された後、該被結合部４の前記肌接触面側に折り返されるとともに、該肌接触面側に着脱可能に結合するように構成されている。そのため、本例の首部冷却袋１を人の首周りに装着したときに、結合部３及び被結合部４の両先端が垂れ下がらないので、作業の邪魔になることがない。また、結合部３及び被結合部４の連結に手間が掛からない上に、連結状態が緩みにくい。
【００２６】
また、袋本体２は、前記肌接触面側に保冷体８を出し入れする開口２ａが設けられているので、人の首周りに装着したときに、該開口２ａから保冷体８が脱落し難いし、該開口２ａの存在を外部から隠すことができる。
【００２７】
また、結合部３は、その先端部の肌接触面側に面ファスナーのフック側６が設けられており、袋本体２、結合部３及び被結合部４は、面ファスナーのフック側６が着脱可能に結合するループ側として機能する生地で形成されている。そのため、被結合部４の前記肌接触面側に面ファスナーのループ側を取り付ける必要がないので、取り付けの手間を省くことができるとともに、すっきりとした外形デザインにすることができる。
【００２８】
さらに、袋本体２は、前記肌接触面側が２枚重ねの生地で形成されているので、保冷体８からの冷気を徐々に首周りの肌に伝導させることができ、肌に強い刺激を与えることを防止できるとともに、袋本体２の保冷力を向上させることができる。しかも、袋本体２は、前記肌接触面側以外の側も２枚重ねの生地で形成されているので、袋本体２の保冷力をさらに向上させることができる。
【００２９】
なお、本考案は前記実施形態に限定されるものではなく、例えば以下のように、考案の趣旨から逸脱しない範囲で適宜変更して具体化することもできる。
（１）首部冷却袋１において、面ファスナーのフック側が着脱可能に結合するループ側として機能する生地で、被結合部４の前記肌接触面側のみが形成されているようにすること。
（２）本考案の首部冷却袋１の外形、模様、色彩等のデザインを適宜変更すること。
（３）首部冷却袋１の袋本体２、結合部３及び被結合部４は、面ファスナーのフック側が着脱可能に結合するループ側として機能する生地以外の生地が用いられており、被結合部４の前記肌接触面側に面ファスナーのループ側を設けること。
【符号の説明】
【００３０】
１    首部冷却袋
１ａ  肌接触面
２    袋本体
２ａ  開口
３    結合部
４    被結合部
４ａ  帯片
５    穴
６    面ファスナーのフック側
８    保冷体
８ａ  保冷剤
８ｂ  密閉保冷剤袋
【図１】
0003219338.tif 000003
【図２】
0003219338.tif 000004
【図３】
0003219338.tif 000005
【図４】
0003219338.tif 000006
【図５】
0003219338.tif 000007
【図６】
0003219338.tif 000008
【図７】
0003219338.tif 000009
【図８】
0003219338.tif 000010
【図９】
0003219338.tif 000011